(57)【要約】      （修正有）【課題】極めて商品価値の高い実用的な柱用飾り板を提供する。【解決手段】柱の外周面に並設状態に付設する柱用飾り板であって、板状本体２の一端部に折り返し部３を有する重ねしろ部５を設けるとともに、他端部に隣接する他の柱用飾り板の前記折り返し部３に引っ掛け係止し得る若しくは引っ掛け係止するように重合配設し得る掛け入れ部６を設けて、一の柱用飾り板の折り返し部３に他の柱用飾り板の掛け入れ部６を引っ掛け係止若しくは引っ掛け係止するように重合配設することで、一の柱用飾り板と他の柱用飾り板とを連設し得る構成としたものである。【選択図】図２
0003185462.tif 000002
【実用新案登録請求の範囲】
【請求項１】
柱の外周面に並設状態に付設する柱用飾り板であって、板状本体の一端部に折り返し部を有する重ねしろ部を設けるとともに、他端部に隣接する他の柱用飾り板の前記折り返し部に引っ掛け係止し得る若しくは引っ掛け係止するように重合配設し得る掛け入れ部を設けて、一の柱用飾り板の折り返し部に他の柱用飾り板の掛け入れ部を引っ掛け係止若しくは引っ掛け係止するように重合配設することで、一の柱用飾り板と他の柱用飾り板とを連設し得る構成としたことを特徴とする柱用飾り板。
【請求項２】
前記折り返し部は、前記重ねしろ部の端部を表面側若しくは裏面側に折り返し形成して構成し、前記掛け入れ部は、前記板状本体の他端部を前記折り返し部と折り返し方向が反対となる裏面側若しくは表面側に折り返し形成して構成したことを特徴とする請求項１記載の柱用飾り板。
【請求項３】
前記板状本体は適宜な金属製の板材で構成されており、前記折り返し部は、前記重ねしろ部の端部をプレス加工により断面Ｖ字状若しくは断面Ｕ字状に折り曲げ形成して構成され、前記掛け入れ部は、前記板状本体の他端部をプレス加工により断面Ｖ字状若しくは断面Ｕ字状に折り曲げ形成して構成されていることを特徴とする請求項２記載の柱用飾り板。
【請求項４】
前記重ねしろ部に釘打ち部を設け、一の柱用飾り板の前記折り返し部に他の柱用飾り板の前記掛け入れ部を引っ掛け係止若しくは引っ掛け係止するように重合配設した際、この他の柱用飾り板により隠蔽状態となる前記重ねしろ部の所定位置に前記釘打ち部を設けたことを特徴とする請求項１〜３のいずれか１項に記載の柱用飾り板。
【請求項５】
前記折り返し部は、前記重ねしろ部の端部を一部分を残して折り返し形成して構成し、この折り返し部を形成しない残余の部分に穴を形成して前記釘打ち部を構成したことを特徴とする請求項４記載の柱用飾り板。
【請求項６】
前記板状本体は前記柱の上下方向に長さを有する細長板状体であり、この板状本体の左右の長辺端部のいずれか一方に前記重ねしろ部を設けたことを特徴とする請求項１〜５いずれか１項に記載の柱用飾り板。
【考案の詳細な説明】
【技術分野】
【０００１】
本考案は、例えば神社や寺などの柱の外周面に並設状態に付設する柱用飾り板に関するものである。
【背景技術】
【０００２】
例えば神社や寺などの柱の外周面に付設する柱用飾り板として、本出願人は、意匠登録第１４２９４２５号及び意匠登録第１４２９６６５号に開示されるような柱用飾り板（以下、従来例）を提案している。
【０００３】
この従来例は、板状本体が柱の上下方向に長さを有する細長板状体であって、柱の外周面に一本ずつ並設状態に付設するものであり、それ以前から提案される一枚物タイプ（柱の一つの面につき一枚配設するタイプ）に比し、並べる数を変えるだけで柱の周方向寸法（例えば巾寸法）に対応することができて非常に実用的である。前述した一枚物タイプは、柱の巾寸法に対応するためには、その都度現場にて切断しなければならず厄介であった。
【先行技術文献】
【特許文献】
【０００４】
【特許文献１】意匠登録第１４２９４２５号公報
【特許文献２】意匠登録第１４２９６６５号公報
【考案の概要】
【考案が解決しようとする課題】
【０００５】
本考案者は、前述した柱用飾り板について更なる開発を進め、その結果、極めて商品価値の高い実用的な柱用飾り板を考案した。
【課題を解決するための手段】
【０００６】
添付図面を参照して本考案の要旨を説明する。
【０００７】
柱１の外周面に並設状態に付設する柱用飾り板であって、板状本体２の一端部に折り返し部３を有する重ねしろ部５を設けるとともに、他端部に隣接する他の柱用飾り板の前記折り返し部３に引っ掛け係止し得る若しくは引っ掛け係止するように重合配設し得る掛け入れ部６を設けて、一の柱用飾り板の折り返し部３に他の柱用飾り板の掛け入れ部６を引っ掛け係止若しくは引っ掛け係止するように重合配設することで、一の柱用飾り板と他の柱用飾り板とを連設し得る構成としたことを特徴とする柱用飾り板に係るものである。
【０００８】
また、前記折り返し部３は、前記重ねしろ部５の端部を表面側若しくは裏面側に折り返し形成して構成し、前記掛け入れ部６は、前記板状本体２の他端部を前記折り返し部３と折り返し方向が反対となる裏面側若しくは表面側に折り返し形成して構成したことを特徴とする請求項１記載の柱用飾り板に係るものである。
【０００９】
また、前記板状本体２は適宜な金属製の板材で構成されており、前記折り返し部３は、前記重ねしろ部５の端部をプレス加工により断面Ｖ字状若しくは断面Ｕ字状に折り曲げ形成して構成され、前記掛け入れ部６は、前記板状本体２の他端部をプレス加工により断面Ｖ字状若しくは断面Ｕ字状に折り曲げ形成して構成されていることを特徴とする請求項２記載の柱用飾り板に係るものである。
【００１０】
また、前記重ねしろ部５に釘打ち部４を設け、一の柱用飾り板の前記折り返し部３に他の柱用飾り板の前記掛け入れ部６を引っ掛け係止若しくは引っ掛け係止するように重合配設した際、この他の柱用飾り板により隠蔽状態となる前記重ねしろ部５の所定位置に前記釘打ち部４を設けたことを特徴とする請求項１〜３のいずれか１項に記載の柱用飾り板に係るものである。
【００１１】
また、前記折り返し部３は、前記重ねしろ部５の端部を一部分５ａを残して折り返し形成して構成し、この折り返し部３を形成しない残余の部分５ａに穴を形成して前記釘打ち部４を構成したことを特徴とする請求項４記載の柱用飾り板に係るものである。
【００１２】
また、前記板状本体２は前記柱１の上下方向に長さを有する細長板状体であり、この板状本体２の左右の長辺端部のいずれか一方に前記重ねしろ部５を設けたことを特徴とする請求項１〜５いずれか１項に記載の柱用飾り板に係るものである。
【考案の効果】
【００１３】
本考案は上述のように構成したから、柱の外周面に体裁良く且つ堅固に付設することができ、しかも、例えば柱の周方向寸法への対応が簡易且つ確実に行えるなど、極めて商品価値の高い実用的な柱用飾り板となる。
【００１４】
また、請求項２，３記載の考案においては、前述した作用効果を発揮する構成が簡易且つ確実に得られるなど、極めて商品価値の高い実用的な柱用飾り板となる。
【００１５】
また、請求項４記載の考案においては、より一層柱の外周面に体裁良く且つ堅固に付設することができる極めて商品価値の高い実用的な柱用飾り板となる。
【００１６】
また、請求項５，６記載の考案においては、前述した作用効果を発揮する構成が簡易且つ確実に得られるなど、極めて商品価値の高い実用的な柱用飾り板となる。
【図面の簡単な説明】
【００１７】
【図１】本実施例の使用状態説明図である。
【図２】本実施例を示す斜視図である。
【図３】本実施例を示す斜視図である。
【図４】図２のＡ−Ａ断面図である。
【図５】図２のＢ−Ｂ断面図である。
【図６】本実施例の要部を説明する断面図である。
【図７】本実施例の要部を説明する断面図である。
【図８】本実施例の施工状態の説明図である。
【図９】本実施例の施工状態の説明図である。
【考案を実施するための形態】
【００１８】
好適と考える本考案の実施形態（考案をどのように実施するか）を、図面に基づいて本考案の作用を示して簡単に説明する。
【００１９】
好適と考える本考案の実施形態を、図面に基づいて本考案の作用を示して簡単に説明する。
【００２０】
本考案に係る柱用飾り板を柱１の外周面に並設状態に付設する。
【００２１】
具体的には、例えば柱１に一の柱用飾り板を付設し、この付設した一の柱用飾り板の折り返し部３に、隣接する他の柱用飾り板の掛け入れ部６を引っ掛け係止若しくは引っ掛け係止するように重合配設することで、一の柱用飾り板と他の柱用飾り板とを連設し、この要領で、例えば柱１の巾に対応する数の柱用飾り板を互いに連設しながら柱１の外周面に並設状態に付設する。
【００２２】
この際、一の柱用飾り板の折り返し部３は他の柱用飾り板により隠蔽状態となるから、柱１に付設した後は各柱用飾り板の折り返し部３は外部からは見えず体裁が良い。
【００２３】
また、前述したような折り返し部３と掛け入れ部６との連設構造から、隣接する柱用飾り板同士の一部が重なった状態となるから、柱１から不意に外れてしまうことが可及的に防止される。
【００２４】
従って、本考案は、柱１の外周面に体裁良く且つ堅固に付設することができる。
【００２５】
また、本考案は、柱用飾り板の数の調整によって柱１の周方向寸法（例えば巾寸法）への対応が行えるのは勿論、前述した構造上、隣接する柱用飾り板同士の連設方法によっても柱１の周方向寸法への対応が行える。
【００２６】
即ち、折り返し部３と掛け入れ部６との連設が解除されない範囲において折り返し部３に対する掛け入れ部６の掛け入れ度合いを可変して隣接する柱用飾り板同士の対向間隔（重ね度合い）を可変することができ、よって、柱用飾り板を追加することでは対応できない僅かな寸法誤差（柱用飾り板の巾よりも小さな巾）が柱１との間に生じても、折り返し部３に対する掛け入れ部６の掛け入れ度合いを可変して隣接する柱用飾り板同士の対向間隔（重ね度合い）を可変することで確実に対応することができ、しかも、隣接する柱用飾り板同士が、折り返し部３と掛け入れ部６とにより重合連設することになるから、柱１に対して脱落しにくい堅固な付設が行われることになる。
【実施例】
【００２７】
本考案の具体的な実施例について図面に基づいて説明する。
【００２８】
本実施例は、柱１の外周面に並設状態に付設する柱用飾り板であって、板状本体２の一端部に折り返し部３を有する重ねしろ部５を設けるとともに、他端部に隣接する他の柱用飾り板の前記折り返し部３に引っ掛け係止し得る若しくは引っ掛け係止するように重合配設し得る掛け入れ部６を設けて、一の柱用飾り板の折り返し部３に他の柱用飾り板の掛け入れ部６を引っ掛け係止若しくは引っ掛け係止するように重合配設することで、一の柱用飾り板と他の柱用飾り板とを連設し得る構成としたものである。
【００２９】
尚、本明細書で言う一の柱用飾り板と他の柱用飾り板の連設とは、一の柱用飾り板の折り返し部３と他の柱用飾り板の掛け入れ部６とが互いに当接して引っ掛け係止している状態は勿論、互いに当接せず折り返し部３に掛け入れ部６が掛け入れた状態、即ち、引っ掛け係止するように重合配設した状態も指す意味である。
【００３０】
具体的には、板状本体２は、図２〜５に図示したように適宜な金属製の薄板材で構成されており、この板状本体２は柱１の上下方向に長さを有する細長板状体であり、プレス加工により平断面視凹湾曲状となるように厚みを有する形状に形成されており、また、この板状本体２の左右の長辺端部のいずれか一方に折り返し部３を有する重ねしろ部５を突出状態に設けている。
【００３１】
折り返し部３は、重ねしろ部５の先端部を一部分５ａ（上下方向に間隔を介した三箇所）を残してプレス加工により表面側に断面Ｖ字状に折り返し形成して構成し、掛け入れ部６は、板状本体２の他端部をプレス加工により折り返し部３と折り返し方向が反対となる裏面側に断面Ｖ字状に折り返し形成して構成している。尚、折り返し部３及び掛け入れ部６の折り返し方向は前述した場合と反対としても良く、また、その形状は断面Ｕ字状でも良いなど、本実施例の特性を発揮する構成であれば適宜採用し得るものである。
【００３２】
従って、一の柱用飾り板の折り返し部３に他の柱用飾り板の掛け入れ部６を引っ掛け係止若しくは引っ掛け係止するように重合配設することで、一の柱用飾り板と他の柱用飾り板とを連設することができる。
【００３３】
また、本実施例は、重ねしろ部５に釘打ち部４を設けており、この釘打ち部４に釘８を打つことで板状本体２を柱１に固定する。
【００３４】
この釘打ち部４は、一の柱用飾り板の折り返し部３に他の柱用飾り板の掛け入れ部６を引っ掛け係止若しくは引っ掛け係止するように重合配設した際、この他の柱用飾り板により隠蔽状態となる重ねしろ部５の所定位置に設けられている。
【００３５】
更に具体的には、釘打ち部４は、前述した折り返し部３を形成しない残余の部分５ａに穴を形成して構成されている。
【００３６】
また、本実施例では、釘打ち部４を板状本体２に設けたタイプの柱用飾り板も設けている。
【００３７】
具体的には、図６，７，８に図示したように板状本体２の上下位置に穴を設けて釘打ち部４を構成しており、この釘打ち部４は柱１に付設した後も釘が露出する部位に設けられており、例えば柱１のコーナー部及びその近傍に飾り釘９を使用して釘止めする。
【００３８】
図６，７に図示したタイプは、板状本体２に対する重ねしろ部５の連設角度を、テーパー状に面取り形成された柱１のコーナー部に対応した角度に設定したものであり、図８に図示したタイプは、板状本体２に対する重ねしろ部５の連設角度を、断面直角状に形成された柱１のコーナー部に対応した角度に設定したものである。
【００３９】
以上の構成から成る本実施例に係る柱用飾り板における柱１への付設方法について説明する。尚、本実施例では柱用飾り板を断面四角形の柱１に付設しているが、断面円形状の柱１にも円周方向寸法に対応して良好に付設し得るものである。
【００４０】
先ず、柱１の外周面に対して柱用飾り板をいくつ並べるかを確認する（予め柱１の周方向寸法が分かっていれば柱用飾り板をいくつ用意すれば良いか分かるが、この各柱用飾り板を釘打ちする前に実際に柱１の外周面に当てて並べて確認する方が良い。）。
【００４１】
この際、各柱用飾り板の重ねしろ部５が完全に隠れた状態で並設されるのか、柱用飾り板同士の重ね度合いを調整する必要があるのかを確認し、後者の場合、各柱用飾り板を並設した状態での位置を予め柱１に墨出しする。
【００４２】
この各柱用飾り板の数と配設位置が決まったら柱１の外周面に順次釘打ちして並設状態に付設する。
【００４３】
具体的には、図６，７，８に図示したように、例えば柱１に一の柱用飾り板を釘打ち部４で釘打ちし、この一の柱用飾り板の折り返し部３に、隣接する他の柱用飾り板の掛け入れ部６を引っ掛け係止するように重合配設することで、一の柱用飾り板と他の柱用飾り板とを連設し、続いて、この他の柱用飾り板を釘打ち部４で釘打ちし、この要領で、柱１の巾寸法に対応する数の柱用飾り板を互いに連設しながら柱１の外周面に並設状態に付設する（図９参照）。
【００４４】
この際、一の柱用飾り板の折り返し部３は他の柱用飾り板により隠蔽状態となるから、柱１に付設した後は各柱用飾り板の折り返し部３は外部からは見えず体裁が良い。
【００４５】
また、前述したような折り返し部３と掛け入れ部６との連設構造から、隣接する柱用飾り板同士の一部が重なった状態となるから、柱１への取り付け時及び取り付け後において柱１から不意に外れてしまうことが可及的に防止される。
【００４６】
従って、本実施例は、柱１の外周面に体裁良く且つ堅固に付設することができる。
【００４７】
また、本実施例は、柱用飾り板の数によって柱１の周方向寸法（巾寸法）への対応が行えるのは勿論、隣接する柱用飾り板同士の連設方法によっても柱１の周方向寸法への対応が行える。
【００４８】
即ち、隣接する柱用飾り板同士の連設構造として、一の柱用飾り板の折り返し部３に他の柱用飾り板の掛け入れ部６を引っ掛け係止若しくは引っ掛け係止するように重合配設することで、一の柱用飾り板と他の柱用飾り板とを連設する構成を採用したから、この折り返し部３と掛け入れ部６との連設が解除されない範囲において折り返し部３に対する掛け入れ部６の掛け入れ度合いを可変して隣接する柱用飾り板同士の対向間隔（重ね度合い）を可変することができ、よって、柱用飾り板を追加することでは対応できない僅かな寸法誤差（柱用飾り板の巾よりも小さな巾）が柱１との間に生じても、折り返し部３に対する掛け入れ部６の掛け入れ度合いを可変して隣接する柱用飾り板同士の対向間隔（重ね度合い）を可変すること確実に対応することができ、しかも、隣接する柱用飾り板同士の連設（折り返し部３と掛け入れ部６との引っ掛け係止若しくは引っ掛け係止するように重合配設による連設）が解除されることがない堅固な付設が行われることになる。
【００４９】
本実施例は上述のように構成したから、柱１の外周面に体裁良く且つ堅固に付設することができ、しかも、柱１の巾方向寸法（巾寸法）への対応が簡易且つ確実に行えることになる。
【００５０】
また、本実施例は、折り返し部３は、重ねしろ部５の先端部を表面側若しくは裏面側に折り返し形成して構成し、掛け入れ部６は、板状本体２の他端部を折り返し部３と折り返し方向が反対となる裏面側若しくは表面側に折り返し形成して構成したから、前述した作用効果を発揮する構成が簡易且つ確実に得られることになる。
【００５１】
また、本実施例は、板状本体２は適宜な金属製の板材で構成されており、折り返し部３は、重ねしろ部５の先端部をプレス加工により断面Ｖ字状若しくは断面Ｕ字状に折り曲げ形成して構成され、掛け入れ部６は、板状本体２の他端部をプレス加工により断面Ｖ字状若しくは断面Ｕ字状に折り曲げ形成して構成されているから、この点においても前述した作用効果を発揮する構成が簡易且つ確実に得られることになる。
【００５２】
また、本実施例は、重ねしろ部５に釘打ち部４を設け、一の柱用飾り板の折り返し部３に他の柱用飾り板の掛け入れ部６を引っ掛け係止若しくは引っ掛け係止するように重合配設した際、この他の柱用飾り板により隠蔽状態となる重ねしろ部５の所定位置に釘打ち部４を設けたから、より一層柱の外周面に体裁良く且つ堅固に付設することができることになる。
【００５３】
また、本実施例は、折り返し部３は、重ねしろ部５の先端部を一部分５ａを残して折り返し形成して構成し、この折り返し部３を形成しない残余の部分５ａに穴を形成して釘打ち部４を構成したから、この点においても前述した作用効果を発揮する構成が簡易且つ確実に得られることになる。
【００５４】
また、本実施例は、板状本体２は柱１の上下方向に長さを有する細長板状体であり、この板状本体２の左右の長辺端部のいずれか一方に重ねしろ部５を設けたから、この点においても前述した作用効果を発揮する構成が簡易且つ確実に得られることになる。
【００５５】
尚、本考案は、実施例に限られるものではなく、各構成要件の具体的構成は適宜設計し得るものである。
【符号の説明】
【００５６】
１  柱
２  板状本体
３  折り返し部
４  釘打ち部
５  重ねしろ部
５ａ  部分
６  掛け入れ部
【図１】
0003185462.tif 000003
【図２】
0003185462.tif 000004
【図３】
0003185462.tif 000005
【図４】
0003185462.tif 000006
【図５】
0003185462.tif 000007
【図６】
0003185462.tif 000008
【図７】
0003185462.tif 000009
【図８】
0003185462.tif 000010
【図９】
0003185462.tif 000011